(57)【要約】【課題】  リング状のパッド本体に接合されたフランジ押さえ布を反転させることで、パッド本体の裏面を表面として使用することが可能なリバーシブル仕様のヘッドホンのイヤーパッドを提供することである。【解決手段】  略リング状のパッド本体４９と、このパッド本体４９との間にヘッドホンハウジング３３，３４のフランジ４３が嵌入するフランジ嵌入隙間５１を形成するフランジ押さえ布５３とを備えるヘッドホン３１のイヤーパッド４１において、パッド本体４９の外郭形状は半径方向に沿う基準平面５５に対して面対称の構造とし、フランジ押さえ布５３は、パッド本体４９の外周部の基準平面５５との交差部５７に基端が接合されて、反転によってパッド本体４９の表裏の何れの側にもフランジ嵌入隙間５１を形成可能なリバーシブル仕様にした構成。【選択図】        図５
2005303556.tif 000002
【特許請求の範囲】
【請求項１】
電気音響変換部を収容したヘッドホンハウジングの耳介当接側外周部に延設されたフランジに装着されるヘッドホンのイヤーパッドであって、
クッション材を外装布で包んだ略リング状のパッド本体と、このパッド本体との間に前記フランジの外周縁が嵌入するフランジ嵌入隙間を形成するフランジ押さえ布とを備え、
前記パッド本体の外郭形状は半径方向に沿う基準平面に対して面対称の構造とし、
前記フランジ押さえ布は、前記パッド本体の外周部の前記基準平面との交差部に基端が接合されて、当該フランジ押さえ布が覆う前記パッド本体の一方の面側に前記フランジ嵌入隙間を形成すると共に、前記パッド本体の他方の面側への反転に必要な伸縮性を備えていることを特徴とするヘッドホンのイヤーパッド。
【請求項２】
前記パッド本体の外装布は、前記基準平面で分断される表裏２つの領域で、色及び材質の少なくとも１つを相異させたことを特徴とする請求項１に記載のヘッドホンのイヤーパッド。
【発明の詳細な説明】
【技術分野】
【０００１】
本発明は、ヘッドホンのイヤーパッドに関し、特に、電気音響変換部を収容したヘッドホンハウジングの耳介当接側外周部に延設されたフランジに装着されるヘッドホンのイヤーパッドに関する。
【背景技術】
【０００２】
図１は、ヘッドホンの従来例を示したものである。
このヘッドホン１は、電気音響変換部（スピーカユニット）を収容した左右一対のハウジング３，４のそれぞれが、頭の上を跨ぐヘッドバンド６の端部にユニバーサルジョイント部７を介して揺動自在に連結されたもので、ハウジング３，４の耳介当接側外周部に、クッション性を有したイヤーパッド９が装備されている（例えば、特許文献１参照）。
【０００３】
イヤーパッド９は、密閉型ヘッドホンにおいては気密性の高い素材を用い、ヘッドホン１を頭部に装着した際に、各ハウジング３，４と外耳介との間の隙間を塞いで外部音響を遮断することで、ハウジング３，４内の電気音響変換部から放射される音響を聴取し易くする。
一方、オープンエア型においては、通気性の高い素材を用い、積極的に外部音響とのつながりを持たせ、自然な聴感を実現している。
【０００４】
このイヤーパッド９は、通常、図２に示すように、スポンジ等のクッション材１１を合成皮革等の外装布１３で包んだ略リング状のパッド本体１５と、このパッド本体１５との間にフランジ嵌入隙間１７を形成するフランジ押さえ布１９とを備えた構成である。
【０００５】
図示はしていないが、ハウジング３，４の耳介当接側外周部には、パッド取り付け用フランジが鍔状に形成されていて、そのパッド取り付け用フランジの外周縁を前記フランジ嵌入隙間１７に嵌入させることで、前記イヤーパッド９がハウジング３，４に固定される。
【０００６】
これまで、イヤーパッド９のパッド本体１５は、図２に示したように、耳介側の湾曲面を覆う表布１５ａと、フランジ嵌入隙間１７側の略平坦な表面を覆う裏布１５ｂとを接合して、横断面形状は、表布１５ａ及び裏布１５ｂ相互の両端の接合部間を結ぶ境界面２１に対して左右非対称となる異形断面形状となっている。
そして、フランジ押さえ布１９は、表布１５ａと裏布１５ｂとの外周側の接合部に基端を接合して、裏布１５ｂ側を覆うように装備されている。
【０００７】
【特許文献１】特開平１１−５５７７７号公報
【発明の開示】
【発明が解決しようとする課題】
【０００８】
ところで、上記のイヤーパッド９では、パッド本体１５の表布１５ａは、裏布１５ｂと比較して、使用時の擦れ等が多く、裏布１５ｂと比較して、汚れや傷みが生じ易い。
【０００９】
一方、図２に示したような異形断面形状では、フランジ押さえ布１９を表布１５ａ側に反転させても、フランジ嵌入隙間１７が適正に形成ができないため、表布１５ａが汚れたり傷んだりしたときに、変わりに裏布１５ｂを表布として活用することはできない。
【００１０】
すなわち、図２に示した異形断面形状のイヤーパッド９では、表布１５ａが汚れたり傷んだりしたときは、裏布１５ｂが新品同様でも、交換する以外に、美しい表布１５ａを取り戻すことができず、表布１５ａの汚損が耐久性の指標となってしまい、イヤーパッド９の耐久性の向上が難しいという問題があった。
【００１１】
また、最近では、商品の彩色等に自分の好みを要求するユーザが増えており、イヤーパッドにおいてもカラーバリエーションの増加が商品価値を高める重要な要素となる。しかし、従来のイヤーパッド９では、例えば、２種の彩色を選択可能にする場合、メーカでは、表布１５ａの彩色を変えた２種類のイヤーパッド９を製造しなければならず、カラーバリエーションの増加等が容易にできないという問題もあった。
【００１２】
また、イヤーパッドの外装布の素材を変えると、肌触りや通気性が変わり、音質も変化するが、ユーザーが好みに合った肌触りや通気性、音質のものを選ぶことができるようにするには、外装布の素材の異なる種類のヘッドホン（例えば、前述の密閉型ヘッドホンやオープンエア型ヘッドホン）をそれぞれ製造しなければならなかった。
【００１３】
本発明が解決しようとする課題としては、上述した従来技術においては、イヤーパッドの表布が汚損すると、きれいな外観に戻すことができないという耐久性上の問題、彩色を変更することができないというデザイン上の自由度の低さ等の問題、また、ユーザーが好みに合った肌触りや通気性、音質の外装布を選ぶことができないという問題など、がそれぞれ一例として挙げられる。
【課題を解決するための手段】
【００１４】
請求項１に記載のヘッドホンのイヤーパッドは、電気音響変換部を収容したヘッドホンハウジングの耳介当接側外周部に延設されたフランジに装着されるヘッドホンのイヤーパッドであって、クッション材を外装布で包んだ略リング状のパッド本体と、このパッド本体との間に前記フランジの外周縁が嵌入するフランジ嵌入隙間を形成するフランジ押さえ布とを備え、前記パッド本体の外郭形状は半径方向に沿う基準平面に対して面対称の構造とし、前記フランジ押さえ布は、前記パッド本体の外周部の前記基準平面との交差部に基端が接合されて、当該フランジ押さえ布が覆う前記パッド本体の一方の面側に前記フランジ嵌入隙間を形成すると共に、前記パッド本体の他方の面側への反転に必要な伸縮性を備えていることを特徴とする。
【発明を実施するための最良の形態】
【００１５】
以下、本発明に係るヘッドホンのイヤーパッドの好適な実施の形態について、図面を参照して詳細に説明する。
図３は及び図４、本発明に係るイヤーパッドを使用したヘッドホンの一実施の形態を示したものである。
【００１６】
本実施の形態のヘッドホン３１は、電気音響変換部（スピーカユニット）を収容した左右一対のヘッドホンハウジング３３，３４のそれぞれが、頭の上を跨ぐヘッドバンド３６の端部に、スライドアーム３８及びハンガー３９を介して連結されたもので、ヘッドホンハウジング３３，３４の耳介当接側外周部に、クッション性を有したイヤーパッド４１が装備されている。
【００１７】
ヘッドバンド３６は、携帯時に中央で折り畳めるように、中央部にヒンジ結合部３６ａが装備されている。ヘッドバンド３６の両端部には、スライドアーム３８の先端側が摺動可能に嵌合するアーム係合部４３が装備されている。
【００１８】
アーム係合部４３は、スライドアーム３８の内面部に刻設された長さ調整用の凹部３８ａに係合する弾性係止片４３ａを有していて、弾性係止片４３ａの係合する長さ調整用の凹部３８ａの位置を調整することで、ヘッドバンド３６の端部からヘッドホンハウジング３３，３４までの位置を調節することができる。
【００１９】
本実施の形態の場合、スライドアーム３８の基端部は、ハンガー３９の頂部３９ａに回転可能にヒンジ結合されている。また、ハンガー３９の一対の先端３９ｂは、支持ピンによって各ヘッドホンハウジング３３，３４を回転自在に支持している。
【００２０】
以上に説明したヘッドホン３１は、携帯時や保管時には、ヘッドバンド３６の頂部のヒンジ結合部３６ａ、スライドアーム３８の基端が連結されているハンガー３９の頂部３９ａのヒンジ結合部、ハンガー３９の先端３９ｂのヘッドホンハウジング３３，３４に対するヒンジ結合部等のそれぞれを折り畳むことで、図４に示すように、コンパクトに折り畳むことができる。
【００２１】
イヤーパッド４１は、ヘッドホン３１を頭部に装着した際に、各ヘッドホンハウジング３３，３４と外耳介との間の隙間を塞いで外部音響を遮断することで、ヘッドホンハウジング３３，３４内の電気音響変換部から放射される音響を聴取し易くする。
【００２２】
本実施の形態のイヤーパッド４１は、図５に示すように、ヘッドホンハウジング３３，３４の耳介当接側外周部に延設された鍔状のパッド取り付け用フランジ４３に装着されている。
【００２３】
なお、図５において、イヤーパッド４１の呈するリングの内側で、ヘッドホンハウジング３３，３４の前面を覆っているシート状部材６１は、ヘッドホンハウジング３３，３４に収容されている電気音響変換部への塵埃の侵入を防止する防護ネットである。
【００２４】
さらに詳述すると、このイヤーパッド４１は、図６にも示すように、スポンジ等のクッション材４５を外装布４７で包んだ略リング状のパッド本体４９と、このパッド本体４９との間にパッド取り付け用フランジ４３の外周縁が嵌入するフランジ嵌入隙間５１を形成するフランジ押さえ布５３とを備えている。
【００２５】
本実施の形態の場合、パッド本体４９の外郭形状は、半径方向に沿う基準平面５５に対して面対称の構造である。
【００２６】
そして、パッド本体４９の外装布４７は、基準平面５５で分断される表裏２つの領域で、色又は材質等を相異させることができる。
例えば、当初表布と使用される第１外装布４７ａは、繊細に縮皺が表現された柔軟な薄手の羊皮状のものとし、当初裏布と使用される第２外装布４７ｂは、皺の少ない若干厚手の牛革状の趣を呈したものとすることができる。また、第１外装布４７ａ及び第２外装布４７ｂの色は黒色または他の色とすることができ、あるいは、それぞれ異なる色としてもよい。
すなわち、第１外装布４７ａと第２外装布４７ｂとは異なる材質の素材として色は同色（例えば、黒色）としたり、同一の材質の素材で色のみを相異させるようにしたり、材質及び色が相異する素材にしてもよい。
【００２７】
また、フランジ押さえ布５３は、図６に示すように、パッド本体４９の外周部の基準平面５５との交差部５７に基端が接合（縫合）されて、当該フランジ押さえ布５３が覆うパッド本体４９の一方の面側にフランジ嵌入隙間５１を形成している。
このフランジ押さえ布５３は、パッド本体４９の他方の面側への反転に必要な伸縮性を備えている。
【００２８】
以上、詳述したように、本発明の実施の形態に係るヘッドホン３１のイヤーパッド４１は、電気音響変換部を収容したヘッドホンハウジング３３，３４の耳介当接側外周部に延設されたフランジ４３に装着されるヘッドホン３１のイヤーパッド４１であり、クッション材４５を外装布４７で包んだ略リング状のパッド本体４９と、このパッド本体４９との間にフランジ４３の外周縁が嵌入するフランジ嵌入隙間５１を形成するフランジ押さえ布５３とを備え、パッド本体４９の外郭形状は半径方向に沿う基準平面に対して面対称の構造とし、フランジ押さえ布５３は、パッド本体４９の外周部の基準平面との交差部に基端が接合されて、当該フランジ押さえ布５３が覆うパッド本体４９の一方の面側にフランジ嵌入隙間５１を形成すると共に、パッド本体４９の他方の面側への反転に必要な伸縮性を備えている。
【００２９】
このように、ヘッドホン３１のイヤーパッド４１では、パッド本体４９が基準平面５５に対して面対称構造で、そのパッド本体４９と基準平面５５との交差部５７にフランジ押さえ布５３の基端が接合されているため、当初はフランジ押さえ布５３が図６に示すようにパッド本体４９の裏面側の第２外装布４７ｂを覆って、パッド本体４９の裏面との間にフランジ嵌入隙間５１を形成する形態であっても、フランジ押さえ布５３をパッド本体４９の表面側に反転させることで、図７に示すように、パッド本体４９の表面との間にフランジ嵌入隙間５１を形成する形態に変化させることができる。
【００３０】
すなわち、イヤーパッド４１の表裏をリバーシブルに使用することができる。したがって、イヤーパッド４１の表布が汚損した場合に、フランジ押さえ布５３を反転させることで、裏布を表布として活用することができ、イヤーパッド４１を交換せずとも、イヤーパッド４１の表面をきれいな外観に戻すことができて、イヤーパッド４１の耐久性を向上させることができる。
【００３１】
また、上記イヤーパッド４１では、パッド本体４９の外装布４７を基準平面５５で分断される表裏２つの領域に区分し、予め、それらの領域に対応する表布（第１外装布４７ａ）と裏布（第２外装布４７ｂ）で色又は材質等を相異させた作りとすることで、反転により異なる趣を演出することができて、カラーバリエーション等のデザイン状の自由度を向上させることができる。
【００３２】
また、外装布４７の素材を表裏異なる素材としたので、ユーザーが好みにあった肌触りや通気性、音質の方を選ぶことができる。
【００３３】
また、上記実施の形態では、本発明に係るイヤーパッドが搭載されるヘッドホンとして、左右一対のヘッドホンハウジングが頭の上を跨ぐヘッドバンドによって連結された構成のものを示したが、本発明のイヤーパッドは、ヘッドバンドを使わずに耳に引っ掛ける形式でヘッドホンハウジングを耳に装着するタイプのヘッドホンにも適用できることは言うまでもない。
【図面の簡単な説明】
【００３４】
【図１】従来のヘッドホンの斜視図である。
【図２】図１に示したイヤーパッドの横断面構造を示す斜視図である。
【図３】本発明に係るイヤーパッドを使用したヘッドホンの一実施の形態の全体斜視図である。
【図４】図３に示したヘッドホンの保管時等に折り畳んだ状態の説明図である。
【図５】図４に示したヘッドホンハウジングへのイヤーパッドの取り付け構造を示す拡大図である。
【図６】図５に示したイヤーパッドの拡大横断面図である。
【図７】図５に示した状態からフランジ押さえ布を反転させて、裏面を表面として活用する状態に変化させたイヤーパッドの拡大横断面図である。
【図８】図７に示した反転状態（リバース状態）でヘッドホンハウジングに装着されたイヤーパッドの外観を示す斜視図である。
【符号の説明】
【００３５】
３１  ヘッドホン
３３，３４  ヘッドホンハウジング
３６  ヘッドバンド
３８  スライドアーム
３９  ハンガー
４１  イヤーパッド
４３  パッド取り付け用フランジ
４５  クッション材
４７  外装布
４７ａ  第１外装布
４７ｂ  第２外装布
４９  パッド本体
５１  フランジ嵌入隙間
５３  フランジ押さえ布
５５  基準平面
【図１】
2005303556.tif 000003
【図２】
2005303556.tif 000004
【図３】
2005303556.tif 000005
【図４】
2005303556.tif 000006
【図５】
2005303556.tif 000007
【図６】
2005303556.tif 000008
【図７】
2005303556.tif 000009
【図８】
2005303556.tif 000010